(57)【要約】【課題】原料粉体とキャリアガスとの混合物の良好な搬送性を確保しつつ、キャリアガス（酸素ガス）不足による原料粉体の燃焼不良の発生を防止できる溶射装置を提供する。【解決手段】原料粉体１０を貯蔵し当該原料粉体を払い出す払出口２１を有する貯蔵手段２０と、加圧されたキャリアガスの流れにより払出口２１から原料粉体１０を吸入し、キャリアガスと原料粉体とを混合し混合物とするエジェクター３０と、エジェクター３０により生成された前記混合物を噴射する噴射手段４０とを備え、前記混合物を噴射し燃焼させて耐火組成物を形成する溶射装置において、エジェクター３０及びそれより下流側の流路のうち、エジェクター３０の吐出導管３３のストレート部以外の位置から補填用のキャリアガスを吹き込むガス吹込み手段Ａ，Ｂを設けた。【選択図】図１
2013044033.tif 000002
【特許請求の範囲】
【請求項１】
耐火性粉体及び可燃性粉体を含む原料粉体と、支燃性のキャリアガスとを混合した混合物を噴射し燃焼させて耐火組成物を形成する溶射装置であって、
前記原料粉体を貯蔵し当該原料粉体を払い出す払出口を有する貯蔵手段と、
加圧されたキャリアガスの流れにより前記払出口から前記原料粉体を吸入し、前記キャリアガスと前記原料粉体とを混合し前記混合物とするエジェクターと、
前記エジェクターにより生成された前記混合物を噴射する噴射手段とを備え、
前記エジェクターは、
前記払出口に連通する内部空間を有する容器部と、
加圧された前記キャリアガスを先端から前記内部空間に噴出する噴出ノズルと、
前記内部空間に一端が連通し前記混合物を流路に沿って前記一端から他端へ導く吐出導管とを備え、
前記吐出導管は流路の断面積が一定のストレート部を有し、
前記エジェクター及びそれより下流側の流路のうち、前記吐出導管のストレート部以外の位置から補填用のキャリアガスを吹き込むガス吹込み手段を設けたことを特徴とする溶射装置。
【発明の詳細な説明】
【技術分野】
【０００１】
本発明は、耐火組成物を形成するための溶射装置に関する。
【背景技術】
【０００２】
従来、耐火組成物を形成するための溶射装置として、可燃性粉体（例えば、金属粉末）と耐火性粉体（耐火性骨材）とを含む原料粉体を、支燃性のキャリアガス（酸素ガス）によって搬送し噴射して着火溶融することで耐火組成物を形成する溶射装置が知られている（例えば、特許文献１及び２参照）。
【０００３】
かかる溶射装置においては、エジェクターを使用して、原料粉体とキャリアガスとを混合し、その混合物を下流に向けて搬送する。そして、その搬送性を高めるために、エジェクターにおいてキャリアガスを噴出する噴出ノズルの先端のノズル孔径を絞り、キャリアガスの噴出速度を上げるようにしている。
【０００４】
ところが、キャリアガスの噴出速度を上げるために噴出ノズル先端のノズル孔径を絞っているため、キャリアガス（酸素ガス）の絶対量が不足して原料粉体の燃焼が不十分になり、得られた耐火組成物の物性が悪くなることがあった。
【先行技術文献】
【特許文献】
【０００５】
【特許文献１】特開２００７−２７５８１６号公報
【特許文献２】特開２００７−２３８９７７号公報
【発明の概要】
【発明が解決しようとする課題】
【０００６】
本発明の課題は、原料粉体とキャリアガスとの混合物の良好な搬送性を確保しつつ、キャリアガス（酸素ガス）不足による原料粉体の燃焼不良の発生を防止できる溶射装置を提供することにある。
【課題を解決するための手段】
【０００７】
本発明の溶射装置は、耐火性粉体及び可燃性粉体を含む原料粉体と、支燃性のキャリアガスとを混合した混合物を噴射し燃焼させて耐火組成物を形成する溶射装置であって、前記原料粉体を貯蔵し当該原料粉体を払い出す払出口を有する貯蔵手段と、加圧されたキャリアガスの流れにより前記払出口から前記原料粉体を吸入し、前記キャリアガスと前記原料粉体とを混合し前記混合物とするエジェクターと、前記エジェクターにより生成された前記混合物を噴射する噴射手段とを備え、前記エジェクターは、前記払出口に連通する内部空間を有する容器部と、加圧された前記キャリアガスを先端から前記内部空間に噴出する噴出ノズルと、前記内部空間に一端が連通し前記混合物を流路に沿って前記一端から他端へ導く吐出導管とを備え、前記吐出導管は流路の断面積が一定のストレート部を有し、前記エジェクター及びそれより下流側の流路のうち、前記吐出導管のストレート部以外の位置から補填用のキャリアガスを吹き込むガス吹込み手段を設けたことを特徴とする。
【発明の効果】
【０００８】
本発明によれば、原料粉体とキャリアガスとの混合物の搬送性を高めるために、噴出ノズルの先端のノズル孔径を絞っていても、ガス吹込み手段により補填用のキャリアガスを吹き込むことができるので、キャリアガス（酸素ガス）不足による原料粉体の燃焼不良の発生を防止でき、良好な物性の耐火組成物を得ることができる。
【図面の簡単な説明】
【０００９】
【図１】本発明の溶射装置の一実施形態を示す要部の断面図である。
【発明を実施するための形態】
【００１０】
以下、図面を参照して本発明の実施の形態を説明する。図１は、本発明の溶射装置の一実施形態を示す要部の断面図である。
【００１１】
図１に示す溶射装置は、原料粉体１０を貯蔵する貯蔵手段としてのホッパー２０と、エジェクター３０と、噴射手段４０とを備える。
【００１２】
原料粉体１０は、可燃性粉体（例えば、金属粉末）と耐火性粉体（耐火性骨材）とを含んでなる。ホッパー２０は、その底部に原料粉体１０を払い出す払出口２１を有する。エジェクター３０は、加圧されたキャリアガス（酸素ガス）の流れにより払出口２１から原料粉体１０を吸入し、キャリアガスと原料粉体１０とを混合し混合物とする。噴射手段４０は、エジェクター３０の出側と水平移送管５０及びゴムホース６０を介して接続されており、エジェクター３０により生成された前記混合物を噴射する。なお、水平移送管５０は省略することができ、エジェクター３０の出側にゴムホース６０を直接接続してもよい。
【００１３】
次に、エジェクター３０の構成を詳細に説明する。エジェクター３０は、ホッパー２０底部の払出口２１に連通する内部空間を有する容器部３１と、加圧されたキャリアガスを先端から容器部３１の内部空間に噴出する先細りの噴出ノズル３２と、容器部３１の内部空間に一端が連通し前記混合物を流路に沿って前記一端から他端へ導く吐出導管３３とを備える。すなわち、容器部３１の内部空間において、キャリアガスは、先細りの噴出ノズル３２先端のノズル孔から吐出導管３３の一端（基端）に向けて高速で噴出し、それによって容器部３１の内部空間を負圧（ここでは大気圧よりも低い圧力）にする。一方、容器部３１の内部空間には垂直移送管７０を介してホッパー２０の払出口２１が連通している。このためエジェクター３０は、加圧されたキャリアガスの流れにより払出口２１から原料粉体１０を容器部３１の内部空間に吸入し、噴出ノズル３２先端のノズル孔から噴出するキャリアガスと原料粉体１０とが容器部３１の内部空間にて混合され混合物となる。
【００１４】
なお、本実施形態において吐出導管３３、流路の断面積が一定のストレート部のみからなるが、ストレート部の入側及び出側に上記特許文献１のような絞り部や拡張部を設けてもよい。
【００１５】
本発明においては、エジェクター３０及びそれより下流側の流路のうち、吐出導管３３のストレート部以外の位置から補填用のキャリアガスを吹き込むガス吹込み手段を設ける。本実施形態においては、吐出導管３３の上流側の容器部３１と吐出導管３３の下流側の水平移送管５０の２箇所にガス吹込み手段を設けている。容器部３１に設けたガス吹込み手段Ａは、容器部３１の内壁のテーパー面に沿ってキャリアガスを吹き込む。一方、水平移送管５０に設けたガス吹込み手段Ｂは、水平移送管５０内にキャリアガスを吹き込む。これらのガス吹込み手段Ａ，Ｂは、いずれか一方を使用してもよいし、両方同時に使用してもよい。
【００１６】
本発明においてガス吹込み手段を設ける位置は、吐出導管３３のストレート部以外であれば特に限定されないが、例えば、ガス吹込み手段Ａは、容器部３１の内壁のテーパー面に沿って補填用キャリアガスを流し込むように設けるのが好ましい。これは、ガス吹込み手段Ａを噴出ノズル３２に対して急角度（例えば、垂直）に吹き込むように設けると、噴出ノズル３２から噴出されるキャリアガスの流速を損なう要因になるためである。
【００１７】
なお、ガス吹込み手段から吹込まれるキャリアガスの吹込み流量は、１５Ｎｍ３／ｈ以上２０Ｎｍ３／ｈ以下の範囲で使用するのが好ましい。吹込み流量が１５Ｎｍ３／ｈ未満では燃焼に要するキャリアガスがやや不足気味となり可燃性粉体の燃焼性を十分に確保できない場合があるためである。一方、吹込み流量が２０Ｎｍ３／ｈを超えると全体のキャリアガス量が多くなるため、噴射手段４０でのガス流速が大きくなり、粉体のリバウンド等が増えることで付着性が劣り、着火しづらくなる場合があるためである。
【００１８】
また、ガス吹込み手段から吹き込まれるキャリアガスの圧力は、０．３ＭＰａ以上１ＭＰａ未満の範囲で使用するのが好ましい。圧力が１ＭＰａ以上の場合、高圧ガスとなるので機器類、部品類が全て高圧対策のものが必要となり、コストが嵩むだけでなく、装置重量も大きくなり機動性が損なわれるため好ましくないからである。また、装置の簡略化のため、噴射ノズル３２及びガス吹込み手段は同一のガス供給源からキャリアガスが供給されるのが望ましいが、圧力が０．３ＭＰａ未満のように低い圧力の場合、噴出ノズル３２から供給されるキャリアガスの流速も低下させてしまう。この場合、エジェクター効果、すなわち、キャリアガスの流れにより払出口２１から原料粉体１０を容器部３１の内部空間に吸入し、キャリアガスと原料粉体１０とを容器部３１の内部空間にて混合させる効果を損なう。そうすると、エジェクター効果が損なわれないように、例えば、噴出ノズル３２と、ガス吹込み手段とは、夫々別々のガス供給源からキャリアガスを供給する必要がある。この場合、ガス供給源を複数備える必要があり、かつ、キャリアガスの供給ラインが複雑化してしまうため好ましくない。
【００１９】
また、噴出ノズル３２のキャリアガスの流量と、ガス吹き込み手段のキャリアガスの流量との合計流量は２０Ｎｍ３／ｈ以上５０Ｎｍ３／ｈ以下の範囲で使用するのが好ましい。これは、この範囲で使用すれば４０％以上の高い付着率を得ることができるからである。
【００２０】
以上の溶射装置を使用して溶射する際には、まず、ホッパー２０の払出口２１から原料粉体１０を払い出す（払出工程）。次いで、ホッパー２０の払出口２１に垂直移送管７０を介して連通する内部空間を有するエジェクター３０の容器部３１に原料粉体１０を導き（導入工程）、この導入工程により導かれた原料粉体１０をエジェクター３０におけるキャリアガスの流れにより吸入して（吸入工程）、原料粉体１０とキャリアガスとを混合する（混合工程）。そして、混合工程により混合された混合物を、内面の少なくとも一部が樹脂又はゴムで構成された吐出導管３３の流路に沿って搬送し（搬送工程）、その搬送された混合物を噴射手段４０により噴射し（噴射工程）、噴射された混合物を燃焼させて耐火組成物を形成する（形成工程）。
【実施例】
【００２１】
図１の溶射装置にて試験を行い、ガス吹込み手段からの補填用のキャリアガス吹込みの効果を確認した。
【００２２】
試験は、ガス吹込み手段を使用する構成（実施例）及びガス吹込み手段を使用しない構成（比較例）について行った。
【００２３】
なお、実施例及び比較例の試験は、噴出ノズル３２から噴出するキャリアガス（酸素ガス）の噴出速度を上げるため、噴出ノズル３２先端のノズル孔径を３ｍｍに絞った条件で行った。噴出ノズル３２先端のノズル孔径を３ｍｍに絞ると、噴出ノズル３２から噴出されるキャリアガス流量は約２０Ｎｍ３／ｈ以下に制限される。このため、実施例及び比較例では、噴出ノズル３２から噴出されるキャリアガスの流量は２０Ｎｍ３／ｈ以下の条件で試験を行った。
【００２４】
具体的には、実施例の試験では、噴出ノズル３２から噴出するキャリアガスの流量を１５Ｎｍ３／ｈ又は２０Ｎｍ３／ｈ（圧力は０．５ＭＰａ一定）にし、ガス吹込み手段Ａ又はＢを使用して、補填用のキャリアガスを５〜３０Ｎｍ３／ｈ（圧力は０．５ＭＰａ一定）の範囲で吹き込んだ条件で行った。
【００２５】
一方、比較例の試験では、噴出ノズル３２から噴出するキャリアガスの流量を１５Ｎｍ３／ｈ又は２０Ｎｍ３／ｈ（圧力は０．５ＭＰａ一定）にし、ガス吹込み手段Ａ及びＢを使用しない条件で行った。なお、実施例及び比較例において、キャリアガスの流量は、流量調整手段（図示省略）により調整した。
【００２６】
実施例及び比較例について、耐火性組成物の付着率、見掛け気孔率及び圧縮強度を評価した。付着率は、{（耐火性組成物の重量）／（噴射した原料粉体の総重量）}×１００とした。見掛け気孔率はＪＩＳＲ２２０５に準拠して測定し、圧縮強度はＪＩＳＲ２５７５に基づき測定した。
【００２７】
結果を表１に示す。
【表１】
2013044033.tif 000003
【００２８】
表１より、ガス吹込み手段Ａ又はＢを使用して補填用のキャリアガスを吹き込んだ本発明の実施例では、いずれも付着率が４０％を超えて良好であり、見掛け気孔率及び圧縮強度も良好であった。
【００２９】
一方、ガス吹込み手段Ａ及びＢを使用しなかった比較例は、付着率、見掛け気孔率及び圧縮強度のいずれにおいても本発明の実施例に比べ劣る結果となった。
【産業上の利用可能性】
【００３０】
本発明の溶射技術は、コークス炉、転炉、溶解炉、ＡＯＤ炉、取鍋、タンデッシュ、真空脱ガス炉、混銑車、電気炉、焼却炉、誘導炉、加熱炉、ガラス炉などの工可燃性金属粉体含有溶射が使用される工業窯炉等に利用可能である。
【符号の説明】
【００３１】
１０  原料粉体
２０  ホッパー（貯蔵手段）
２１  払出口
３０  エジェクター
３１  容器部
３２  噴出ノズル
３３  吐出導管
４０  噴射手段
５０  水平移送管
６０  ゴムホース
７０  垂直移送管
Ａ，Ｂ  ガス吹込み手段
【図１】
2013044033.tif 000004